(57)【要約】【課題】  光通信モジュールの小型化を図りながら、高周波信号の伝搬損失を抑制することが可能な光通信モジュール及びそれに用いる光変調器を提供すること。【解決手段】  光変調素子を直方体の容器内に収容した光変調器（ＯＭ）と、該光変調素子に高周波信号を入力するドライバ回路（Ｄｒｖ）とを筐体（１）内に収容した光通信モジュールにおいて、該筐体の１つの側面に設けられた電気インターフェース（ＥＩ）と、該筐体の前記側面に対向する他の側面に設けられた光インターフェース（ＯＩ）と、該光変調器（ＯＭ）は、該光変調素子に該高周波信号を導入するための配線基板（ＦＰＣ）の一端が、該直方体の１つの短辺側から導出されており、該光変調器の前記短辺側と該電気インターフェースとの間に、該ドライバ回路（Ｄｒｖ）が配置されていることを特徴とする。【選択図】図１
2018173595.tif 000002
【特許請求の範囲】
【請求項１】
光変調素子を直方体の容器内に収容した光変調器と、
該光変調素子に高周波信号を入力するドライバ回路とを筐体内に収容した光通信モジュールにおいて、
該筐体の１つの側面に設けられた電気インターフェースと、
該筐体の前記側面に対向する他の側面に設けられた光インターフェースと、
該光変調器は、該光変調素子に該高周波信号を導入するための配線基板の一端が、該直方体の１つの短辺側から導出されており、
該光変調器の前記短辺側と該電気インターフェースとの間に、該ドライバ回路が配置されていることを特徴とする光通信モジュール。
【請求項２】
請求項１に記載の光通信モジュールにおいて、
該筐体内には、光受信器を有することを特徴とする光通信モジュール。
【請求項３】
請求項１又は２に記載の光通信モジュールにおいて、
該筐体内には、デジタル信号処理回路を有することを特徴とする光通信モジュール。
【請求項４】
請求項１乃至３のいずれかに記載の光通信モジュールに使用される光変調器において、
該光変調器の光入力部と光出力部とを配置する面が、前記直方体の同じ面、又は互いに直交する面のいずれかであることを特徴とする光変調器。
【請求項５】
請求項４に記載の光変調器において、
該容器内には、該配線基板から該光変調素子へ該高周波信号を導入する中継基板を有し、
該中継基板は、該光変調素子の片方又は両方の長辺側の側面に沿って配置されていることを特徴とする光変調器。
【請求項６】
請求項４又は５に記載の光変調器において、
該光変調素子に対する光の入射側又は出射側には、光路変換手段が配置されていることを特徴とする光変調器。
【請求項７】
請求項６に記載の光変調器において、
該光変調素子を構成する基板は、ニオブ酸リチウム基板であることを特徴とする光変調器。
【請求項８】
請求項４乃至７のいずれかに記載の光変調器において、該光変調素子にＤＣバイアスを印加するためのＤＣ入力端子、又は、該光変調素子内を伝搬する光波をモニタするためのモニタ信号出力端子は、該直方体の１つの長辺側に配置されていることを特徴とする光変調器。
【発明の詳細な説明】
【技術分野】
【０００１】
本発明は、光通信モジュール及びそれに用いる光変調器に関し、特に、筐体内に光変調器とドライバ回路とを配置した光通信モジュールと、それに用いる光変調器に関する。
【背景技術】
【０００２】
光通信分野において、光変調器とドライバ回路を筐体内に組み込んだ光送信用のモジュールや、光変調器と光受信器とを同じ筐体内に組み込んだ光送受信用のモジュールが実用化されている。これらの光通信モジュールは、光通信システム装置のボードに搭載され使用されるが、システムの伝送容量の増大に対応するため、より集積度を高めることが可能な小型なモジュールが求められている。さらにシステムの拡張やメンテナンスが容易になるように、活線挿抜可能なプラガブルモジュールと呼ばれる、光送受信モジュールが用いられるようになっている。
【０００３】
通常プラガブルモジュールでは、光通信モジュールを構成する筐体の１つの側面には、電気インターフェースが設けられ、該側面に対向する他の側面には、光インターフェースが設けられている。光通信モジュールは、光通信システム装置のパネルに対して水平方向から挿入され、装置の内面奥側に設けられた電気接続端子に該モジュールの電気インターフェースを差し込む状態で、装置内に着脱自在に固定される。
【０００４】
近年、光通信で処理されるデータ量が急激に増加しており、１つの光通信モジュールに１００Ｇｂｐｓや１００Ｇｂｐｓを超えるコヒーレント通信機能を付与したり、一つのボードに差し込むモジュールの数を増やすことなどが必要となっている。このため、高周波信号においても性能の劣化を抑制するため、高周波信号の伝搬損失を抑制することが不可欠であり、さらに、光通信モジュール自体も小型化することが求められている。
【０００５】
しかしながら、光変調器などの光学部品やドライバ回路などの電気部品を狭い空間に集積して配置すると、光学部品間の接続だけでなく、高周波信号を伝搬する配線の取り回しも複雑化し、逆に光通信モジュールの性能劣化の原因となる。
【先行技術文献】
【特許文献】
【０００６】
【特許文献１】特開２０１２−４８１２１号公報
【特許文献２】特開２０１４−１９５０６１号公報
【発明の概要】
【発明が解決しようとする課題】
【０００７】
本発明が解決しようとする課題は、上述したような問題を解決し、光通信モジュールの小型化を図りながら、高周波信号の伝搬損失を抑制することが可能な光通信モジュール及びそれに用いる光変調器を提供することである。
【課題を解決するための手段】
【０００８】
上記課題を解決するため、本発明の光通信モジュール及びそれに用いる光変調器は、次のような技術的特徴を備えている。
（１）  光変調素子を直方体の容器内に収容した光変調器と、該光変調素子に高周波信号を入力するドライバ回路とを筐体内に収容した光通信モジュールにおいて、該筐体の１つの側面に設けられた電気インターフェースと、該筐体の前記側面に対向する他の側面に設けられた光インターフェースと、該光変調器は、該光変調素子に該高周波信号を導入するための配線基板の一端が、該直方体の１つの短辺側から導出されており、該光変調器の前記短辺側と該電気インターフェースとの間に、該ドライバ回路が配置されていることを特徴とする。
【０００９】
（２）  上記（１）に記載の光通信モジュールにおいて、該筐体内には、光受信器を有することを特徴とする。
【００１０】
（３）  上記（１）又は（２）に記載の光通信モジュールにおいて、該筐体内には、デジタル信号処理回路を有することを特徴とする。
【００１１】
（４）  上記（１）乃至（３）のいずれかに記載の光通信モジュールに使用される光変調器において、該光変調器の光入力部と光出力部とを配置する面が、前記直方体の同じ面、又は互いに直交する面のいずれかであることを特徴とする。
【００１２】
（５）  上記（４）に記載の光変調器において、該容器内には、該配線基板から該光変調素子へ該高周波信号を導入する中継基板を有し、該中継基板は、該光変調素子の片方又は両方の長辺側の側面に沿って配置されていることを特徴とする。
【００１３】
（６）  上記（４）又は（５）に記載の光変調器において、該光変調素子に対する光の入射側又は出射側には、光路変換手段が配置されていることを特徴とする。
【００１４】
（７）  上記（６）に記載の光変調器において、該光変調素子を構成する基板は、ニオブ酸リチウム基板であることを特徴とする。
【００１５】
（８）  上記（４）乃至（７）のいずれかに記載の光変調器において、該光変調素子にＤＣバイアスを印加するためのＤＣ入力端子、又は、該光変調素子内を伝搬する光波をモニタするためのモニタ信号出力端子は、該直方体の１つの長辺側に配置されていることを特徴とする。
【発明の効果】
【００１６】
本発明は、光変調素子を直方体の容器内に収容した光変調器と、該光変調素子に高周波信号を入力するドライバ回路とを筐体内に収容した光通信モジュールにおいて、該筐体の１つの側面に設けられた電気インターフェースと、該筐体の前記側面に対向する他の側面に設けられた光インターフェースと、該光変調器は、該光変調素子に該高周波信号を導入するための配線基板の一端が、該直方体の１つの短辺側から導出されており、該光変調器の前記短辺側と該電気インターフェースとの間に、該ドライバ回路が配置されているため、光通信モジュールの小型化を図りながら、高周波信号の伝搬損失を抑制することが可能となる。
【図面の簡単な説明】
【００１７】
【図１】本発明の光通信モジュールに係る第１の実施例を説明する図である。
【図２】本発明の光通信モジュールに係る第２の実施例を説明する図である。
【図３】本発明の光通信モジュールに係る第３の実施例を説明する図である。
【図４】本発明の光通信モジュールに係る第４の実施例を説明する図である。
【図５】本発明の光変調器に係る第１の実施例を説明する図である。
【図６】図５の光変調器を底面側から見た図である。
【図７】本発明の光変調器に係る第１の実施例の応用例を説明する図である。
【図８】本発明の光変調器に係る第２の実施例を説明する図である。
【図９】図８の光変調器を底面側から見た図である。
【図１０】本発明の光変調器に係る第２の実施例の応用例を説明する図である。
【発明を実施するための形態】
【００１８】
以下、本発明の光通信モジュール及びそれに用いる光変調器について、好適例を用いて詳細に説明する。
本発明の光通信モジュールは、図１乃至４に示すように、光変調素子を直方体の容器内に収容した光変調器（ＯＭ）と、該光変調素子に高周波信号を入力するドライバ回路（Ｄｒｖ）とを筐体（１）内に収容した光通信モジュールにおいて、該筐体の１つの側面に設けられた電気インターフェース（ＥＩ）と、該筐体の前記側面に対向する他の側面に設けられた光インターフェース（ＯＩ）と、該光変調器（ＯＭ）は、該光変調素子に該高周波信号を導入するための配線基板（ＦＰＣ）の一端が、該直方体の１つの短辺側から導出されており、該光変調器の前記短辺側と該電気インターフェースとの間に、該ドライバ回路（Ｄｒｖ）が配置されていることを特徴とする。
【００１９】
図１は、本発明の光通信モジュールに関する第１の実施例を説明する図である。
１は光通信モジュールを構成する筐体であり、該筐体内には、光変調器（ＯＭ）、ドライバ回路（Ｄｒｖ）、半導体レーザ光源（ＬＤ）、光受信器（ＩＣＲ）が配置されている。また、筐体１の左側（図面の左側）の側面には、電気インターフェース（ＥＩ）が設けられており、Ｔｘは送信側端子であり、Ｒｘは受信側端子を構成している。
【００２０】
ドライバ回路、光変調器、半導体レーザ光源、及び光受信器は、板状の回路基板（不図示）上に配置固定される。各部品の配置は、任意であるが、本発明においては、特に、光変調器の短辺側に電気インターフェースやドライバ回路を配置している。電気インターフェース（ＥＩ）の送信側端子（Ｔｘ）、ドライバ回路（Ｄｒｖ）、及び光変調器の配線基板（ＦＰＣ）をほぼ一直線上に配置することで、高周波配線を短くすることができる。これにより、高周波配線における伝搬損失を抑制することが可能となる。その結果、光通信モジュールの性能劣化も防ぐことが可能となる。
【００２１】
本発明では、光変調器の配線基板には、特許文献１及び２に開示されているように、フレキシブル印刷回路（ＦＰＣ）が利用されている。特許文献１及び２に示すように、従来の光変調器では、光変調器を構成する直方体の容器において、長辺側から配線基板（ＦＰＣ）の一端が導出されている。しかしながら、本発明では、送信側端子（Ｔｘ）、ドライバ回路（Ｄｒｖ）、及び光変調器の配線基板（ＦＰＣ）をほぼ一直線上に配置するため、光変調器の短辺側に配線基板（ＦＰＣ）の一端を導出している。
【００２２】
図１には、送信側端子（Ｔｘ）からドライバ回路（Ｄｒｖ）へ、ドライバ回路（Ｄｒｖ）から配線基板（ＦＰＣ）へと矢印が出ているが、これは高周波信号の流れを示している。また、半導体レーザ光源（ＬＤ）から光変調器（ＯＭ）の光入力部（Ｌｉｎ）に入る矢印は、光変調器への入射光を示している。光変調器の光出力部（Ｌｏｕｔ）から光インターフェース（ＯＩ）に至る矢印は、光変調器からの出射光を示している。
【００２３】
光インターフェース（ＯＩ）から光受信器（ＩＣＲ）への矢印は、光受信器に入る受信光を示しており、半導体レーザ光源（ＬＤ）から光受信器に入る矢印は、コヒーレント通信などで用いられる参照光を示している。そして、光受信器（ＩＣＲ）から受信側端子（Ｒｘ）に至る矢印は、光受信器から出力される受信信号である。
【００２４】
光変調器（ＯＭ）の長辺側に設けられる符号ＩＦは、光変調素子にＤＣバイアスを印加するためのＤＣ入力端子、又は光変調素子内を伝搬する光波をモニタするためのモニタ信号出力端子である。ＤＣ入力端子及び／又はモニタ信号出力端子を備えたインターフェースを、以下では「ＤＣ／モニタ用インターフェース」という。ＤＣ／モニタ用インターフェースは、図１の直方体の容器の上側に配置されているが、これに限らず、当該容器の下側の長辺側に設けることも可能である。ＤＣ／モニタ用インターフェースは、コネクタピンが並列に配置された構造をしており、各コネクタピンが別々のものや、複数のコネクタピンを一体化したものなどを用いることが可能である。
【００２５】
図２に示す光通信モジュールの第２の実施例では、光通信モジュールの筐体１内に、デジタル信号処理回路（ＤＳＰ）が組み込まれている。デジタル信号処理回路では、多値符号化やＦＥＣ付与、高周波信号の位相調整などの信号処理を行なう。デジタル信号処理回路（ＤＳＰ）を筐体内に配置する場合には、図２に示すように、送信用端子（Ｔｘ）、デジタル信号処理回路（ＤＳＰ）、ドライバ回路（Ｄｒｖ）、及び光変調器（ＯＭ）の配線基板（ＦＰＣ）が一直線上に配置される。また、光受信器（ＩＣＲ）の信号をデジタル信号処理回路（ＤＳＰ）に入力し、偏波分離や分散処理、光源の位相ゆらぎ補償などの信号処理を行ない、送信された信号の復調やエラー訂正などが行なわれる。
【００２６】
図１又は図２において、光変調器の光入力部（Ｌｉｎ）と光出力部（Ｌｏｕｔ）は、光変調器の直方体の容器に対して、長辺側側面と、短辺側側面に各々設けられている。通常は、直方体の容器の互いに対向する２つの短辺側側面の各々に光入力部と光出力部とを設けている。本発明では、直方体の短辺側には配線基板（ＦＰＣ）を配置しているため、同じ短辺側の側面に配線基板と光入力部（Ｌｉｎ）を共に配置することを避けるため、光入力部（Ｌｉｎ）を直方体の長辺側側面に配置変更している。
【００２７】
本発明においては、同じ短辺側に配線基板と光入力部を共に配置すること否定しているわけではない。例えば、図１又は２のように異なる面にこれらを配置する方が、配線基板（ＦＰＣ）の回路基板への接続がし易く、また、光入力部に導入される光ファイバを、ドライバ回路（Ｄｒｖ）や電気インターフェース（ＥＩ）が配置されている狭い空間で取り回す作業も不要となり、光通信モジュールの組み立て作業を容易にすることが可能となる。
【００２８】
図３の第３の実施例は、光変調器（ＯＭ）の光入力部（Ｌｉｎ）と光出力部（Ｌｏｕｔ）を、直方体容器の同じ短辺側側面に設けたものである。
また、図４の第４の実施例は、光変調器（ＯＭ）の光入力部（Ｌｉｎ）と光出力部（Ｌｏｕｔ）を、直方体容器の同じ長辺側側面に設けたものである。
いずれの実施例も、それ以外は、図１と同様の構成をしている。
このように、光変調器（ＯＭ）の光入力部（Ｌｉｎ）と光出力部（Ｌｏｕｔ）の配置を工夫することで、光通信モジュール内の部品のレイアウトを多様化することが可能となる。
【００２９】
図３の第３の実施例のように、同じ短辺側側面に光入力部と光出力部を配置するには、例えば、２の光変調素子を並列に配置し、一方の光変調素子から出射した光波を、１８０度反転させて、他の光変調素子に入射するよう構成することが必要となる。また、一つの基板に往路用と復路用の光導波路を並べて形成する場合には、基板端面を反射面として利用したり、基板端面にＧＲＩＮレンズの反射光学系を配置したり、ＰＬＣ（平面型光回路）などの平面導波路基板で導波路を折り返したり、種々の構成を採用することが可能である。
【００３０】
図５及び６は、光通信モジュールに組み込まれる光変調器（ＯＭ）の第１の実施例である。光変調器の直方体容器２内には、光変調素子（ＯＭＥ）が収容されている。光変調素子については、公知の技術が採用でき、例えば、ニオブ酸リチウムなどの電気光学効果を有する基板や半導体基板に、光導波路や変調電極等を組み込むことによって構成される。
【００３１】
光変調素子（ＯＭＥ）への高周波信号の導入には、配線基板（ＦＰＣ）、中継基板（ＲＳ１）が利用される。中継基板には、入力用の端子部分（丸印部分）と配線（長方形内の実線）が設けられている。配線基板（ＦＰＣ）から中継基板への電気的接続は、容器の底面を貫通するリードピンが利用される。例えば、図６の配線基板（ＦＰＣ）の小さな４つの丸印部分の端子から、中継基板（ＲＳ１）に設けられた４つの丸印部分の端子に、リードピンで接続が行なわれている。
【００３２】
中継基板（ＲＳ１）は、光変調素子（ＯＭＥ）の片側のみに配置されている。また、中継基板（ＲＳ１）は、入力用の端子部分（丸印部分）を全て、光変調素子（ＯＭＥ）に対向する中継基板の側面とは反対側となる中継基板の側面に配置している。これにより、中継基板の構造がシンプルとなり、端子間の接続もし易く、製造プロセスの効率化を図ることが可能となる。
【００３３】
図５又は図６に示すように、配線基板（ＦＰＣ）は、光変調器の直方体容器２の短辺側から導出されている。この場合、配線基板（ＦＰＣ）の他端は、図６のように直方体の底面に沿って内側に延びて配置されている。配線基板（ＦＰＣ）を高周波インターフェースとしてみた場合には、配線基板（ＦＰＣ）の図面の横方向の長さは、短い方が好ましい。
【００３４】
しかしながら、ニオブ酸リチウム基板（ＬＮ基板）を用いた光変調素子の場合、光導波路の分岐導波路や曲げ部分の長さは、ＬＮ基板の長手方向に長くなり、ＬＮ基板自体も細長い形状となる。そして、ＬＮ基板の短辺側と光導波路の作用部までの距離（数ｍｍから十数ｍｍ）をＬＮ基板上の高周波配線で繋ぐ場合は、配線基板（ＦＰＣ）に同じ長さの高周波配線を設ける場合と比較し、配線の断面寸法が小さいことから高周波の伝搬損失が大きくなり、光変調器の広帯域化が困難となる。
【００３５】
このため、図５及び図６に示すように、中継基板（ＲＳ１）は、光変調素子（ＯＭＥ）の作用部（高周波信号が光導波路に印加される部分）の開始部分の近傍に配置し、中継基板（ＲＳ１）の下側まで、配線基板（ＦＰＣ）を延伸させている。
【００３６】
ＤＣ／モニタ用インターフェース（ＩＦ）を介して、光変調素子（ＯＭＥ）にＤＣバイアスの印加や、光変調素子の基板上や周辺に配置された受光素子からの信号出力を行なっている。ＤＣ／モニタ用インターフェースと光変調素子との間には、必要に応じて中継基板（ＤＭＳ）が利用される。
【００３７】
図５及び図６に示した光変調器の第１の実施例では、中継基板（ＲＳ１）は、リードピンと接続される端子部分（丸印部分）が、光変調素子（ＯＭＥ）に対向する中継基板の側面とは反対側となる中継基板の側面に形成されていた。これに対し、電気配線をより短く設定するには、図７に示す応用例のように、光変調素子（ＯＭＥ）の長辺側側面に対して垂直な中継基板（ＲＳ２）の側面（図７の中継基板（ＲＳ２）の左右の側面）に端子部分（丸印部分）を設けることも可能である。また、高周波信号間のクロストークを防止するため、図７のように、中継基板の異なる側面に入力用の端子部分を配置することも可能である。このような配置にすることで、図５、図６の場合と比較して、ポート間の配線の長さの差を小さくすることができ、電気損失やポート間のスキュー（Ｓｋｅｗ）増大などのポート間の高周波特性差の発生を抑えることができる。
【００３８】
光変調器（ＯＭ）の光が伝搬する経路について説明する。ＯＳ１は、光入力部（Ｌｉｎ）から入った光波を光変調素子（ＯＭＥ）の方向に約９０度変更する光路変換手段であり、空間光学系や、平面光回路（ＰＬＣ）、曲率半径を小さくして曲げた光ファイバ、さらにはプリズム等の反射手段やレンズ等の集光手段を組み合わせたマイクロオプティクスが利用される。
【００３９】
半導体レーザ光は、光入力部（Ｌｉｎ）から入射し、光路変換手段ＯＳ１で伝搬方向を変更し、光変調素子（ＯＭＥ）に入射する。光変調素子内で、光変調を受けた光波は、光変調素子の図５の右側端部から出射し、波長板や偏光ビームスプリッタ等を組み合わせた偏波合成手段（ＯＳ２）で合波され、光出力部（Ｌｏｕｔ）より出射する。当然、偏波合成を行なわない場合は、偏波合成手段（ＯＳ２）は省略することができる。
【００４０】
また、図４で示すように、光変調器の直方体の容器の長辺側に光出力部（Ｌｏｕｔ）を配置する場合には、符号ＯＳ２は、光路変換手段の機能を付与することが必要となる。なお、その場合は、偏波合成手段の機能は必ずしも必須ではない。
【００４１】
このような光路変換手段（ＯＳ１等）が必要となる理由は、ニオブ酸リチウムなどの基板を用いた光変調素子では、光路を９０度曲げるには、基板自体が大型化することになり、光変調器を小型化することが困難となる。このため、光変調素子の基板における光入力部や光出力部を基板の短辺側に設け、光路変換手段（ＯＳ１等）を使用して、光路を９０度変更している。
【００４２】
また、ＬＮ基板の短辺側に光学端面を設けることで、光学研磨面を得ることが容易となる。仮に、ＬＮ基板の長辺側に設けると、ＬＮ基板の長さは数ｃｍ程度であり、この長さにわたって光学研磨面を形成することは難しい。
【００４３】
図８及び９は、光通信モジュールに組み込まれる光変調器（ＯＭ）の第２の実施例である。図５及び６の実施例との違いは、２つの中継基板（ＲＳ３，ＲＳ４）は、光変調素子（ＯＭＥ）を挟むように、容器２内に配置されている。それ以外は、図５及び６と同様である。
【００４４】
図８の実施例では、一つの配線基板（ＦＰＣ）から入力された配線を、２つの中継基板に分け、光変調素子の両方の長辺側の側面から高周波信号を導入することで、配線基板や中継基板を含む電気配線が長くなるのを抑制でき、高周波信号の伝搬損失を抑制することが可能となる。
【００４５】
図８及び図９に示した光変調器の第２の実施例では、中継基板（ＲＳ３，ＲＳ４）は、リードピンと接続される端子部分が、光変調素子（ＯＭＥ）に対向する中継基板の側面とは反対側となる中継基板の側面に形成されていた。これに対し、電気配線をより短く設定するには、図１０に示す応用例のように、光変調素子（ＯＭＥ）の長辺側の側面に対して垂直な中継基板（ＲＳ５，ＲＳ６）の側面（図７の左側の側面）に端子部分（丸印部分）を設けることも可能である。また、高周波信号のクロストークを防止するため、図１０のように、中継基板の異なる側面に入力用の端子部分を配置することも可能である。
【産業上の利用可能性】
【００４６】
以上説明したように、本発明によれば、光通信モジュールの小型化を図りながら、高周波信号の伝搬損失を抑制することが可能な光通信モジュール及びそれに用いる光変調器を提供することができる。
【符号の説明】
【００４７】
ＥＩ  電気インターフェース
ＯＩ  光インターフェース
ＬＤ  レーザ光源
ＯＭ  光変調器
Ｄｒｖ  ドライバ回路
ＩＣＲ  光受信器
ＤＳＰ  デジタル信号処理回路
ＩＦ    ＤＣ／モニタ用インターフェース
ＦＰＣ  配線基板
Ｌｉｎ  光入力部
Ｌｏｕｔ  光出力部
１  筐体
２  直方体容器
ＲＳ１〜ＲＳ６  中継基板
ＯＳ１  光路変換手段
ＯＳ２  偏波合成手段及び／又は光路変換手段
ＯＭＥ  光変調素子
ＤＭＳ  中継基板
Ｔｘ  送信側端子
Ｒｘ  受信側端子
【図１】
2018173595.tif 000003
【図２】
2018173595.tif 000004
【図３】
2018173595.tif 000005
【図４】
2018173595.tif 000006
【図５】
2018173595.tif 000007
【図６】
2018173595.tif 000008
【図７】
2018173595.tif 000009
【図８】
2018173595.tif 000010
【図９】
2018173595.tif 000011
【図１０】
2018173595.tif 000012